(57)【要約】【課題】ＵＳＢ２．０ＨＳ／ＦＳのＩ／Ｆ転送スピード変化に伴う間欠印字ムラ低減。【解決手段】シリアルインクジェットプリンタであって、接続されたＰＣとのホストＩ／ＦがＵＳＢ２．０におけるＨＳかＦＳかによってヘッド駆動時間を可変する。具体的には、ＣＰＵがＵＳＢ２．０仕様に準じてリセット時のＨＳ検出ハンドシェイクを実行しＨＳデバイス装備のＰＣの判別を行う（Ｓ００２、Ｓ００３）。次に、ステップＳ００３の結果に応じてＨＳ用ヘッド駆動周波数セット例えば４０ｋＨｚ（Ｓ００４）。ＦＳ用ヘッド駆動周波数セット例えば１０ｋＨｚ（Ｓ００５）を設定する。【選択図】      図５
2004268396.tif 000002
【特許請求の範囲】
【請求項１】
接続されたＰＣとのホストＩ／ＦがＵＳＢ２．０におけるＨＳかＦＳかによってヘッド駆動時間を可変するシリアルインクジェットプリンタ。
【発明の詳細な説明】
【０００１】
【発明の属する技術分野】
本発明は、ＵＳＢ２．０に対するシリアルインクジェットプリンタの記録制御に関する。
【０００２】
【従来の技術】
従来、ＵＳＢ２．０のＨＳ（転送速度４８０Ｍｂｐｓ）とＦＳ（転送速度１２Ｍｂｐｓ）のデ−タ転送速度の違いがあってもシリアルインクジェットプリンタの印字動作に特に変化はなかった。
【０００３】
【発明が解決しようとする課題】
しかし、ＨＳ（転送速度４８０Ｍｂｐｓ）で最適の印字時間が確保されるシリアルインクジェットプリンタにおいてＦＳ（転送速度１２Ｍｂｐｓ）になつた場合、シリアル印字スキャン内に次の印字デ−タが転送速度が遅いために１スキャン毎に次の印字デ−タ待ちの待ち時間が発生して間欠印字が発生してしまうことがある。
【０００４】
その結果インクが被記録媒体に定着する時間に変化が生じて色ムラが発生する。
【０００５】
又、Ｉ／Ｆのデ−タ転送スピ−ドと１スキャン印字時間との関係が非効率になる。
【０００６】
【課題を解決するための手段】
前述した課題を解決する本発明のシリアルインクジェットプリンタは、接続されたＰＣとのホストＩ／ＦがＵＳＢ２．０におけるＨＳかＦＳかによって印字時間を可変することによって色ムラのない効率的なシリアルインクジェットプリンタを提供する。
【０００７】
【発明の実施の形態】
以下に、図面を参照して、この発明の好適な実施の形態を例示的に詳しく説明する。ただし、この実施の形態に記載されている構成要素はあくまで例示であり、この発明の範囲をそれらのみに限定する趣旨のものではない。
【０００８】
図１は、本発明を実施した形態の一例である。同図において、１００は、本体１１０、ＣＲＴディスプレイ１２０、キーボード１３０を含むホストコンピュータである。２００は、図２、図４に示すようなキャリッジＣＲＧ上に記録ヘッドＩＪＨを載せた場合は画像を形成する画像形成装置、スキャナヘッドＳＣＨを載せた場合は紙面の画像を読取る画像読取り装置として用いることが出来るプリンタであるである。また、１５０は、ホストコンピュータ１００とシリアルインクジェットプリンタ２００を接続するＵＳＢ２．０ケーブルの通信ケーブルである。
【０００９】
図３は、本発明を実施した形態の一例であるインクジェットプリンタの制御構成の一例を示すブロック図である。インターフェース（Ｉ／Ｆ）１７００は、ホストコンピュータ１００からの印刷データ等を受信し、ゲートアレイ１７０４に受信データを供給する。プログラムメモリ１７０２は、プリンタ２００を制御するプログラムを格納したメモリ媒体である。また、プログラムメモリ１７０２には画像データを文字データに変換するプログラムも格納されている。ＥＥＰＲＯＭ１７３０は、ホストコンピュータ１００によって指定された設定内容を記憶する領域をもつ不揮発性メモリである。ゲートアレイ１７０４は、ＣＰＵ１７０１の指示に従って、ＲＡＭ１７０３を使用しながら印刷データを展開し、ヘッドドライバ１７０５及びモータドライバ１７０７を図５でＵＳＢ２．０ＨＳ／ＦＳ判別フロ−チャ−トに設定したヘッド周波数によってヘッド駆動制御して画像を形成せしめる回路である。ＣＰＵ１７０１は、プログラムメモリ１７０２に格納された制御プログラムに基づいてプリンタ２００を統括的に制御する。ヘッドドライバ１７０５は、記録ヘッドＩＪＨを駆動するドライバである。キャリアモータ５０１３は、記録ヘッドＩＪＨを搬送するモータであり、モータドライバ１７０７は、キャリアモータ５０１３を駆動するドライバである。スキャナヘッドＳＣＨは記録ヘッドＩＪＨと交換することで、紙面上の画像データを読取る。読取った画像データはＲＡＭ１７０３に一度保存され、インターフェース（Ｉ／Ｆ）１７００を通してホストコンピュータ１００に転送される。
【００１０】
図５は、本発明におけるＵＳＢ２．０ＨＳ／ＦＳ判別時のヘッド周波数決定例を示すフローチャートである。ＣＰＵ１７０１はＵＳＢ２．０仕様に準じてリセット時のＨＳ検出ハンドシェイクを実行しＨＳデバイス装備のＰＣの判別を行う（Ｓ００２、Ｓ００３）。
【００１１】
次に、ステップＳ００３の結果に応じてＨＳ用ヘッド駆動周波数セット例えば４０ｋＨｚ（Ｓ００４）。ＦＳ用ヘッド駆動周波数セット例えば１０ｋＨｚ（Ｓ００５）を設定する。
【００１２】
記録システムは、上記ヘッド周波数によってＩ／Ｆのデ−タ転送スピ−ドに応じた最適なヘッド周波数で駆動ができる。
【００１３】
（他の実施形態）
以上、本発明の実施形態について詳述したが、本発明は、複数の機器から構成されるシステムに適用しても良いし、また、一つの機器からなる装置に適用しても良い。
【００１４】
なお、本発明は、前述した実施形態の機能を実現するソフトウェアのプログラムを、システム或いは装置に直接或いは遠隔から供給し、そのシステム或いは装置のコンピュータが該供給されたプログラムコードを読み出して実行することによっても達成される場合を含む。その場合、プログラムの機能を有していれば、形態は、プログラムである必要はない。
【００１５】
従って、本発明の機能処理をコンピュータで実現するために、該コンピュータにインストールされるプログラムコード自体も本発明を実現するものである。つまり、本発明のクレームでは、本発明の機能処理を実現するためのコンピュータプログラム自体も含まれる。
【００１６】
その場合、プログラムの機能を有していれば、オブジェクトコード、インタプリタにより実行されるプログラム、ＯＳに供給するスクリプトデータ等、プログラムの形態を問わない。
【００１７】
プログラムを供給するための記録媒体としては、例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などがある。
【００１８】
その他、プログラムの供給方法としては、クライアントコンピュータのブラウザを用いてインターネットのホームページに接続し、該ホームページから本発明のコンピュータプログラムそのもの、もしくは圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明のクレームに含まれるものである。
【００１９】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【００２０】
また、コンピュータが、読み出したプログラムを実行することによって、前述した実施形態の機能が実現される他、そのプログラムの指示に基づき、コンピュータ上で稼動しているＯＳなどが、実際の処理の一部または全部を行ない、その処理によっても前述した実施形態の機能が実現され得る。
【００２１】
さらに、記録媒体から読み出されたプログラムが、コンピュータに挿入された機能拡張ボードやコンピュータに接続された機能拡張ユニットに備わるメモリに書き込まれた後、そのプログラムの指示に基づき、その機能拡張ボードや機能拡張ユニットに備わるＣＰＵなどが実際の処理の一部または全部を行ない、その処理によっても前述した実施形態の機能が実現される。
【００２２】
【発明の効果】
以上説明したように、本発明によれば、接続されたＰＣとのホストＩ／ＦがＵＳＢ２．０におけるＨＳかＦＳかによって印字時間を可変することによって色ムラのない効率的なシリアルインクジェットプリンタを提供する事ができた。
【図面の簡単な説明】
【図１】本発明の実施形態に係るシステムを示す図である。
【図２】本発明の実施形態に係るプリンタの内部機構を示す図である。
【図３】本発明の実施形態に係るプリンタのハードウェア構成を示すブロック図である。
【図４】本発明の実施形態に係るプリンタの内部機構を示す図である。
【図５】本発明の実施形態に係るシステムの処理の流れを示すフローチャートである。
【図１】
2004268396.tif 000003
【図２】
2004268396.tif 000004
【図３】
2004268396.tif 000005
【図４】
2004268396.tif 000006
【図５】
2004268396.tif 000007